(57)【特許請求の範囲】
【請求項１】
少なくとも１台のプロセッサ；および
命令を格納するメモリを含み、前記メモリに格納されている前記命令が前記少なくとも１台のプロセッサによって実行された時；
ネットワークを通じて前記少なくとも１台のプロセッサと通信するコンピュータから第１の複数の賭けを、前記少なくとも１台のプロセッサが受信し、前記第１の複数の賭けが、第１の期間および気象関連イベントによって少なくとも部分的に定義されており、前記第１の複数の賭けのそれぞれが、以下によってさらに少なくとも部分的に定義される；
個別の賭けられた金額、
複数の人間居住区を含む地理的な領域内にある、個別の地理的な地域であって、前記複数の人間居住区の中の少なくとも１つの人間居住区を含む個別の地理的な地域、および
前記気象関連イベントの予測された発生；
前記少なくとも１台のプロセッサが、前記少なくとも１台のプロセッサに通信で接続された表示装置において、前記第１の複数の賭けを表すデータを表示し；
前記少なくとも１台のプロセッサが、前記気象関連イベントの結果を決定するためのデータであって、特定の１つの地理的な地域の少なくとも１つで前記気象関連イベントが発生したと決定するためのデータを受信し；
前記少なくとも１台のプロセッサが、前記受信した賭けおよび前記受信したデータに基づいて少なくとも１人の勝者であって、前記特定の１つの地理的な地域の少なくとも１つによって少なくとも部分的に定義された少なくとも１つの勝利の賭けに賭けた前記少なくとも１人の勝者を決定し；
前記少なくとも１台のプロセッサが、前記少なくとも１人の勝者のために少なくとも１つの払戻金を決定し；
少なくとも２つの異なる地理的な領域に対応する少なくとも２つのプールであって、当該地理的な領域における前記気象関連イベントの予測された発生に対応する少なくとも２つのプールを含む第１の複数のプールであって、前記第１の複数の賭けのそれぞれのために賭けられた金額の少なくとも一部がプールされている前記第１の複数のプールに含まれるプールであって、前記少なくとも１つの払戻金の支払いを受ける前記少なくとも１人の勝者が賭けた賭けを少なくとも部分的に定義する前記特定の１つの地理的な地域及び前記気象関連イベントの予測された発生に対応するプールから、当該少なくとも１人の勝者に当該少なくとも１つの払戻金を支払うことを含むことを特徴とする装置。
【請求項２】
前記少なくとも１人の勝者が、複数の勝者を含み、前記少なくとも１つの払戻金を支払うアクトが、比例配分パリ・ミュテュエル方式で決定された払戻金を前記複数の勝者に支払うことを含む請求項１に記載の装置。
【請求項３】
前記少なくとも１人の勝者が、複数の勝者を含み、前記少なくとも１つの勝利の賭けが、異なる時に賭けられた複数の対応する勝利の賭けを含み、前記少なくとも１つの払戻金を支払うアクトが、前記複数の勝者に、各対応する勝利の賭けが賭けられた時に基づいて決定された払戻金を支払うことを含む請求項１に記載の装置。
【請求項４】
前記命令は、前記少なくとも１台のプロセッサによって実行された時、前記少なくとも１台のプロセッサに；
実体に使用料を支払うこと、前記使用料が第１の複数のプールの少なくとも１つの割合を含み、および、前記割合が前記第１の複数のプールの少なくとも１つのサイズに基づいて決定されること、を指示する請求項１に記載の装置。
【請求項５】
前記気象関連イベントは、津波、ハリケーン、および地震の少なくとも１つを含む請求項１に記載の装置。
【請求項６】
前記気象関連イベントの発生によって影響を受けた地域に前記第１の複数のプールの少なくとも一部を提供することをさらに含む請求項１に記載の装置。
【請求項７】
前記少なくとも１人の勝者を決定するアクトが、前記第１の期間に、その他の地理的な地域に影響する前に、前記個別の気象関連イベントが前記個別の地理的な地域に影響するかどうかを決定することに基づく請求項１に記載の装置。
【請求項８】
前記少なくとも１つの払戻金が、前記第１の期間に前記気象関連イベントの発生の強さに基づいて決定された少なくとも１つの払戻金を含む請求項１に記載の装置。
【請求項９】
ネットワークを介して少なくとも１台のプロセッサと通信するコンピュータから第１の複数の賭けを、前記少なくとも１台のプロセッサが受信し、前記第１の複数の賭けが、第１の期間および気象関連イベントによって少なくとも部分的に定義され、および前記第１の複数の賭けのそれぞれが、以下によって部分的にさらに定義され；
個別に賭けられた金額、
複数の人間居住区を含む地理的な領域内にある、個別の地理的な地域であって、前記複数の人間居住区の中の少なくとも１つの人間居住区を含む個別の地理的な地域、および
前記気象関連イベントの予測された発生；
前記少なくとも１台のプロセッサが、前記少なくとも１台のプロセッサに通信によって接続された表示装置において、前記第１の複数の賭けを表すデータを表示し；
前記少なくとも１台のプロセッサが、前記少なくとも１台のプロセッサによって前記気象関連イベントの結果を決定するためのデータであって、前記気象関連イベントが特定の１つの地理的な地域の少なくとも１つで起こったことを決定するためのデータを受信し；
前記少なくとも１台のプロセッサが、前記受信した賭けおよび前記受信したデータに基づいて少なくとも１人の勝者であって、前記特定の１つの地理的な地域の少なくとも１つによって少なくとも部分的に定義された少なくとも１つの勝利の賭けをした前記少なくとも１人の勝者を決定し；
前記少なくとも１台のプロセッサが、前記少なくとも１台のプロセッサによって前記少なくとも１人の勝者のための少なくとも１つの払戻金を決定し； 
少なくとも２つの異なる地理的な領域に対応する少なくとも２つのプールであって、当該地理的な領域における前記気象関連イベントの予測された発生に対応する少なくとも２つのプールを含む第１の複数のプールであって、前記第１の複数の賭けのそれぞれのために賭けられた金額の少なくとも一部がプールされている前記第１の複数のプールに含まれるプールであって、前記少なくとも１つの払戻金の支払いを受ける前記少なくとも１人の勝者が賭けた賭けを少なくとも部分的に定義する前記特定の１つの地理的な地域及び前記気象関連イベントの予測された発生に対応するプールから、当該少なくとも１人の勝者に当該少なくとも１つの払戻金を支払うことを含む方法。
【請求項１０】
前記第１の複数の賭けを表すデータを表示するアクトが、地図を表すグラフィック・ディスプレイにデータを表示することを含む請求項９に記載の方法。
【発明の詳細な説明】
【技術分野】
【０００１】
本出願は、２００６年９月２８日に出願されて、米国特許出願シリアル番号１１／５３６，４３０の優先権の利益を主張する。それは、実行可能性および明細書の目的のために現在の開示の一部として参照によって本出願に組み込まれる。
【発明の詳細な説明】
【０００２】
次の節Ｉ - ＶＩＩＩは、この特許出願の解釈の指針を提供する。
【０００３】
Ｉ．用語
【０００４】
用語「プロダクト」は、特に明示的な定めのない限り、任意の機械、製造物および／または合成物を意味する。
【０００５】
用語「プロセス」は、特に明示的な定めのない限り、任意のプロセス、アルゴリズム、方法または同様のものを意味する。
【０００６】
各プロセス（方法、アルゴリズム、または他のものと呼ばれたとしても）は、本質的に１つ以上のステップを含んでおり、それゆえ、プロセスの「ステップ」または「ステップ群」への全ての参照は、用語「プロセス」または同様の用語の単なる記載に固有の先行する記載を持っている。従って、請求項におけるプロセスの「ステップ」または「ステップ群」へのいずれの参照にも、十分な先行する記載を持つ。
【０００７】
用語「１つの（ａｎ）実施例」、「実施例」、「実施例群」、「その実施例」、「それらの実施例」、「１つ以上の実施例」、「いくつかの実施例」、「ある実施例」、「１つの（ｏｎｅ）実施例」、「他の実施例」等は、特に明示的な定めのない限り、「開示された発明（群）の１つ以上（しかし、全てでない）の実施例」を意味する。
【０００８】
用語「変形例」（発明の）は、特に明示的な定めのない限り、発明の１つの実施例を意味する。
【０００９】
実施例の記載における「他の実施例」への参照は、特に明示的な定めのない限り、参照された実施例が他の実施例（例えば、参照された実施例の前に記載された実施例）と相互に排他的であることを含意しない。
【００１０】
用語が「含んでいる」、「構成している」およびそれらの変形は、特に明示的な定めのない限り、「を含むが、これらに限定されない」を意味する。
【００１１】
用語「１つの（ａ）」、「１つの（ａｎ）」および「その」は、特に明示的な定めのない限り、「１つ以上の」を意味する。
【００１２】
用語「複数」は、特に明示的な定めのない限り、「２つ以上」を意味する。
【００１３】
用語「ここにおいて」は、特に明示的な定めのない限り、「この特許出願において、参照によって組み込むことができるどのようなものをも含む」を意味する。
【００１４】
句「少なくとも１つの」は、そのような句が複数のもの（ものの列挙されたリストのような）を修飾する場合、特に明示的な定めのない限り、それらのものの１つ以上の任意の組合せを意味する。例えば、句「小型装置、自動車および車輪の少なくとも１つ」は、（ｉ）小型装置、（ｉｉ）自動車、（ｉｉｉ）車輪、（ｉｖ）小型装置および自動車、（ｖ）小型装置および車輪、（ｖｉ）自動車および車輪、または（ｖｉｉ）小型装置、自動車および車輪のいずれかを意味する。
【００１５】
「１」、「２」等のような数字は、何か（例えば、１つの小型装置、２つの小型装置）の数量を示すための基数として使用された場合、その数字で示された数量を意味するが、その数字で示された数量が少なくともその数量であることを意味しない。例えば、句「１つの小型装置」は、「少なくとも１つの小型装置」を意味せず、それゆえ、句「１つの小型装置」は、例えば、２つの小型装置を範囲として含まない。
【００１６】
句「に基づいた」は、特に明示的な定めのない限り、「のみに基づいた」を意味しない。換言すれば、句「に基づいた」は、「のみに基づいた」および「少なくとも…に基づいた」の両方を表現する。
【００１７】
用語「表す」および同様の用語は、特に明示的な定めのない限り、排他的ではない。例えば、用語「表す」は、特に明示的な定めのない限り、「のみを表す」を意味しない。換言すれば、句「データはクレジットカード番号を表す」は、「データはクレジットカード番号のみを表す」および「データはクレジットカード番号を表し、データはさらに他の何かも表す」の両方について表現する。
【００１８】
用語「それによって」は、ここでは、単に節または以前に明示的に記載されるものの意図した結果、目的または因果関係だけを表現する節または言葉の他の組に先行するためにのみ使用される。従って、用語「それによって」が請求項、節または他の言葉の中で使用される場合、用語「それによって」が修飾する節または他の語は、請求項の特定のさらなる限定を確立しないか、さもなければ請求項の意味または範囲を限定する。
【００１９】
用語「例えば（ｅ．ｇ．）」および同様の用語は、「例えば（ｆｏｒ  ｅｘｍｐｌｅ）」を意味し、従ってそれが説明する用語や句を限定しない。例えば、文「コンピュータはインターネットを通じてデータ（例えば、命令、データ構造）を送る」では、用語「例えば」は、「命令」が、コンピュータがインターネットを通じて送ることができる「データ」の一例であることを説明し、さらにまた「データ構造」が、コンピュータがインターネットを通じて送ることができる「データ」の一例であることを説明する。しかしながら、「命令」および「データ構造」の両者は、単に「データ」の例であり、「命令」および「データ構造」に加えて、他のものも「データ」になりえる。
【００２０】
用語「つまり（ｉ．ｅ．）および同様の用語は、「つまり（ｔｈａｔ  ｉｓ）」を意味し、それゆえ、それが説明する用語か句を限定する。例えば、文「コンピュータはインターネットを通じてデータ（つまり、命令）を送る」では、用語「つまり、命令」が、コンピュータがインターネットを通じて送る「データ」であることを説明する。
【００２１】
ＩＩ. 決定
【００２２】
用語「決定する」およびその文法の変形（例えば、価格を決定する、値を決定する、ある基準を満たす対象を決定する）は、非常に広い意味で使用される。用語「決定する」は、種々様々の動作を包含し、それゆえ、「決定する」は、計算する、演算する、処理する、配信する、調査する、検索する（例えば、テーブル、データベースまたは他のデータ構造を検索する）、確認する等を含むことができる。さらに、「決定する」は、受信する（例えば、情報を受信する）、アクセスする（例えば、メモリ中のデータをアクセスする）等を含むことができる。さらに、「決定する」は、決断する、選定する、選択する、確立する等を含むことができる。
【００２３】
用語「決定する」は、確実性または絶対的な正確さを含意せず、それゆえ、「決定する」は、評価する、推定する、予測する、推測する等を含むことができる。
【００２４】
用語「決定する」は、数学的な処理が実施されなければならないことを含意せず、数値的方法が使用されなければならないことを含意せず、そしてアルゴリズムまたはプロセスが使用されることを含意しない。
【００２５】
用語「決定する」は、どのような特定の装置も使用されなければならないことを含意しない。例えば、コンピュータは、必ずしも決定を行う必要はない。
【００２６】
ＩＩＩ. 文の形式
【００２７】
第１の請求項の限定が１つの特徴と同様に２つ以上の特徴も範囲として含む（例えば、「少なくとも１つの小型装置」のような限定が１つの小型装置と同様に２つ以上の小型装置も範囲として含む）場合、および第１の請求項に従属する第２の請求項において、第２の請求項が定冠詞（ｔｈｅ）を使用して限定（例えば、（ｔｈｅ）「小型装置」）を参照する場合、これは、第１の請求項が１つの特徴だけを範囲として含むことを含意しないし、これは、第２の請求項が１つの特徴だけを範囲として含むことを含意しない（例えば、「小型装置」は、１つの小型装置および２つ以上の小型装置の両方を範囲として含むことができる）。
【００２８】
序数（「第１」、「第２」、「第３」等のような）が用語の前に修飾語として使用される場合、その序数は、（特に明示的な定めのない限り）、特定の特徴を同じ用語によって、または似たような用語によって記載された他の特徴から区別するように、単に特定の特徴を示すために使用される。例えば、「第１の小型装置」は、例えば、「第２の小型装置」からそれをただ区別するためにそのように名付けられてもよい。従って、用語「小型装置」の前の「第１の」および「第２の」の序数の単なる使用法は、２つの小型装置の他の関係を示さず、同様に一方または両方の小型装置の他の特性を示さない。例えば、用語「小型装置」の前の序数「第１の」および「第２の」の単なる使用法は、（１）どちらか一方の小型装置が順序または位置において他方の前または後に来ることを示さないし；（２）どちらか一方の小型装置が時間において他方の前または後に生じる、あるいは動作することを示さないし；そして、（３）どちらか一方の小型装置が重要性または質におけるように他方の上または下に位置付けされることを示さない。さらに、序数の単なる使用法は、序数で特定された特徴の数の限界を定義しない。例えば、用語「小型装置」の前の序数「第１の」および「第２の」の単なる使用法は、高々２つの小型装置しかないに違いないことを示さない。
【００２９】
単一の装置／物品が本出願に記載される場合、（それらが協働しようとしまいと）２つ以上の装置／物品は、記載された単一の装置／物品の代わりに二者択一で使用されてもよい。従って、装置が持つと記載される機能性は、（それらが協働しようとしまいと）２つ以上の装置／物品が二者択一で持つことができる。
【００３０】
同様に、（それらが協働しようとしまいと）２つ以上の装置または物品が本出願に記載される場合、単一の装置／物品は、記載される２つ以上の装置または物品の代わりに二者択一で使用されてもよい。例えば、複数のコンピュータ・ベースの装置は、単一のコンピュータ・ベースの装置と置き換えることができる。従って、２つ以上の装置または物品に持つと記載される様々な機能性は、単一の装置／物品が二者択一で持つことができる。
【００３１】
記載された単一の装置の機能性および／または特徴は、記載されてはいるが、そのような機能性／特徴を持つと明示的に記載されない１つ以上の他の装置によって二者択一で具体化されてもよい。従って、他の実施例は、記載された装置自体を含んでいる必要はないが、それらの他の実施例の中で、そのような機能性／特徴を持つであろう１つ以上の他の装置をむしろ含むことができる。
【００３２】
ＩＶ. 開示された例および用語は限定されない
【００３３】
多数の実施例は、本特許出願に記載されており、説明の目的だけのために示される。記載された実施例は、いかなる意味においても限定するようにするものではなく、また意図されない。現在開示された発明（群）は、開示から容易に明らかなように、多数の実施例に広く適用可能である。当業者は、開示された発明が、構造的、論理的、ソフトウェア的および電気的な変更のような、様々な変更および改変とともに実施できることを認識するだろう。開示された発明（群）の特定の特徴は、１つ以上の特定の実施例および／または図面を参照して記載することができるが、当然のことながら、そのような特徴は、特に明示的な定めのない限り、それらが記載されたところを参照する１つ以上の特定の実施例または図面中の使用に限定されない。
【００３４】
現在の開示は、発明（群）の全ての実施例の文字どおりの記載ではない。さらに、現在の開示は、全ての実施例に存在しなければならない発明（群）の特徴のリストではない。
【００３５】
（本特許出願の最初のページの初めに述べられた）発明の名称も（本特許出願の終わりに述べられた）要約書も、開示された発明（群）の範囲を任意の方法で限定するものとして見なされるべきではない。要約書は、米国連邦規則集第３７巻（３７Ｃ.Ｆ.Ｒ.）１.７２条（ｂ）の下で、単に高々１５０単語の要約書が要求されるという理由だけで、本出願に含まれている。
【００３６】
本特許出願の発明の名称、および本特許出願で提供される節の標題は、便宜だけのためであり、決して開示の限定として見なされるべきではない。
【００３７】
互いに通信するように記載された装置は、特に明示的な定めのない限り、互いに連続的に通信する必要はない。むしろ、そのような装置は、必要であるか望ましいときにだけ互いに送信する必要があり、ほとんどの時間はデータを交換することを実際は差し控えることができる。例えば、インターネットを経由して他の機械と通信する機械は、長い期間（例えば、一度に数週間）、他の機械にデータを送信しなくてもよい。さらに、互いに通信する装置は、直接的に、または１人以上の仲介者を通して間接的に通信してもよい。
【００３８】
いくつかの構成要素または特徴を備えた実施例の記載は、そのような構成要素／特徴の全てまたはいずれかでも要求されることを含意しない。むしろ、様々な選択的な構成要素は、本発明（群）の可能な実施例の広い多様性を説明するものとして記載されている。明示的に別段の定めがない限り、いずれの構成要素／特徴も、本質的または必須ではない。
【００３９】
プロセス・ステップ、アルゴリズム等は、特定の逐次順序で記載または特許請求されることができるが、そのようなプロセスは、異なる順序で働くように設定することができる。換言すれば、明示的に記載または特許請求されるかもしれないステップのシーケンスまたは順序は、ステップがその順序で実行されるという要件を必ずしも示さない。本出願に記載されたプロセスのステップは、可能ないかなる順序でも実行することができる。さらに、いくつかのステップは、（例えば、１つのステップが他のステップの後に記載されるので）、非同時に生じるように記載または示唆されているにもかかわらず、同時に実行することができる。加えて、図面の描写により例示されたプロセスは、例示されたプロセスがその他の変形および変更を除外することを含意せず、例示されたプロセスまたはそのステップのいずれかが発明（群）に必要であることを含意せず、例示されたプロセスが望ましいことを含意しない。
【００４０】
プロセスは複数のステップを含むように記載することができるが、それは、全てまたはいずれかのステップが望ましくあり、本質的であり、または必須であることを含意しない。記載された発明（群）の範囲内の様々な他の実施例は、記載されたステップのいくつかまたは全てを省略する他のプロセスを含んでいる。明示的に別段の定めがない限り、いずれかのステップも、本質的または必須ではない。
【００４１】
プロダクトは、複数の構成要素、態様、品質、特性および／または特徴を含むように記載されてもよいが、それは、複数のいずれかまたは全てが望ましくあり、本質的であり、または必須であることを示さない。記載された発明（群）の範囲内の様々な他の実施例は、記載された複数のうちのいくつかまたは全てを省略する他のプロダクトを含んでいる。
【００４２】
項目（番号付けられていてもいなくてもよい）の列挙されたリストは、特に明示的な定めのない限り、項目のうちのいずれかまたは全てが相互に排他的であることを含意しない。同様に、項目（番号付けられていてもいなくてもよい）の列挙されたリストは、特に明示的な定めのない限り、項目のうちのいずれかまたは全てが任意のカテゴリに包括的であることを含意しない。例えば、列挙されたリスト「コンピュータ、ラップトップ、ＰＤＡ」は、そのリストの３つの項目のうちのいずれかまたは全てが相互に排他的であることを、およびそのリストの３つの項目のうちのいずれかまたは全てが任意のカテゴリに包括的であることを含意しない。
【００４３】
Ｖ. コンピューティング
【００４４】
本出願に記載された様々なプロセスが、例えば、適切にプログラムされた汎用計算機および計算装置によって実装できることは、当業者には容易に明らかであろう。典型的に、プロセッサ（例えば、１つ以上のマイクロプロセッサ、１つ以上のマイクロコントローラ、１つ以上のデジタル信号プロセッサ）は、命令（例えば、メモリまたは装置からの）を受け、それらの命令を実行し、その結果、それらの命令によって定義された１つ以上のプロセスを実行する。
【００４５】
「プロセッサ」は、１つ以上のマイクロプロセッサ、中央処理装置（ＣＰＵ）、計算装置、マイクロコントローラ、デジタル信号プロセサ、もしくは同様の装置、またはそれらの任意の組合せを意味する。
【００４６】
従って、プロセスの記載は、同様にプロセスを実行するための装置の記載である。装置は、例えば、プロセスを実行するのに適切である、プロセッサならびにその入力装置および出力装置を含むことができる。
【００４７】
さらに、そのようなプロセス（他のタイプのデータと同様に）を実装するプログラムは、様々な媒体（例えば、コンピュータ読み取り可能媒体）を使用して、複数の方法で、記憶および送信されてもよい。いくつかの実施例では、配線で接続された回路類またはカスタム・ハードウェアは、様々な実施例のプロセスを実行することができるソフトウェア命令のいくつかまたは全ての代わりに、または組み合わせて使用するようにしてもよい。従って、ハードウェアとソフトウェアとの様々な組合せはソフトウェアのみの代わりに使用されてもよい。
【００４８】
用語「コンピュータ読み取り可能媒体」は、コンピュータ、プロセッサまたは同様の装置によって読むことができるデータ（例えば、命令、データ構造）の提供に関与する、あらゆる媒体を指す。そのような媒体は、不揮発性媒体、揮発性媒体および伝送媒体を含むが、これらに限定されずに、多くの形式をとることができる。不揮発性の媒体は、例えば、光学的または磁気的なディスクおよび他の持続性メモリを含んでいる。揮発性媒体は、典型的には主記憶を構成するダイナミック・ランダム・アクセス・メモリ（ＤＲＡＭ）を含んでいる。伝送媒体は、同軸ケーブル、銅線および光ファイバを含み、プロセッサに接続されたシステムバスを構成するワイヤを含む。伝送媒体は、無線周波数（ＲＦ）および赤外線（ＩＲ）データ通信中に生成されるような、音波、光波および電磁気の放射を含むことができる。コンピュータ読み取り可能媒体の一般的形式は、例えば、コンピュータが読むことができるフロッピー（登録商標）・ディスク、フレキシブル・ディスク、ハードディスク、磁気テープ、他の磁気媒体、ＣＤ−ＲＯＭ、ＤＶＤ、他の光学媒体、パンチカード、紙テープ、穿孔パターン付きの他の物理的媒体、ＲＡＭ、ＰＲＯＭ、ＥＰＲＯＭ、ＦＬＡＳＨ−ＥＥＰＲＯＭ、他のメモリ・チップまたはカートリッジ、後述されるような搬送波、またはコンピュータ読み取り可能な他の媒体を含む。
【００４９】
コンピュータ読み取り可能媒体の様々な形式は、プロセッサにデータ（例えば、命令のシーケンス）を運ぶことに関与することができる。例えば、データは、（ｉ）ＲＡＭからプロセッサに供給されたり；（ｉｉ）無線伝送媒体を通じて運ばれたり；（ｉｉｉ）イーサネット（登録商標）（またはＩＥＥＥ８０２．３）、ＳＡＰ、ＡＴＰ、ＢｌｕｅＴｏｏｔｈ、またはＴＣＰ／ＩＰ、ＴＤＭＡ、ＣＤＭＡ、または３Ｇのような、多数のフォーマット、規格またはプロトコルに従ってフォーマットおよび／または伝送されたり；および／または、（ｉｖ）当技術分野で周知の様々な方法のうちのいずれかでプライバシーを保証するかまたは不正行為を防止するために暗号化されたりすることを含むことができる。
【００５０】
従って、プロセスの記載は、同様に、プロセスを実行するためのプログラムを記憶するコンピュータ読み取り可能媒体の記載である。コンピュータ読み取り可能媒体は、方法を実行するのに適切なプログラム要素を（任意の適切なフォーマットで）記憶することができる。
【００５１】
ちょうど記載されたステップが全て必要であることをプロセスの様々なステップの記載が示さないように、装置の実施例は、記載されたプロセスのうちのいくらか（必ずではなく全て）を行うのに操作可能なコンピュータ／計算装置を含んでいる。
【００５２】
同様に、プロセスの様々なステップの記載が、記載されたステップの全てが必須であることを示さないのと同じように、プログラムまたはデータ構造を記憶するコンピュータ読み取り可能媒体の実施例は、実行された時、記載されたプロセスのうちのいくらか（必ずしも全てではない）をプロセッサに行わせることができるプログラムを記憶するコンピュータ読み取り可能媒体を含んでいる。
【００５３】
データベースが記載されるところでは、（ｉ）記載されたものに代わる代替データベース構造が容易に採用されうること、および、（ｉｉ）データベースに加えて他のメモリ構造が容易に採用されうることは、当業者にとって当然のことであろう。本出願で示されたいずれのサンプル・データベースのどのような例示または記載も、情報の記憶された表現のための実例となる配置である。どのような数の他の配置も、例えば、図面または他のところで例示されたテーブルによって提案されたものに加えて採用することができる。同様に、データベースの例示されたいずれのエントリも、典型的な情報のみを表す；当業者は、エントリの数および内容が本出願に記載されたものとは異なっていてもよいことを理解するだろう。さらに、テーブルとしてのデータベースのどのような表現にもかかわらず、他のフォーマット（リレーショナル・データベース、オブジェクト・ベース・モデルおよび／または分散型データベースを含む）を、本出願に記載されたデータ型を記憶および操作するために使用することができるだろう。同様に、データベースのオブジェクト方法または動作は、本出願に記載されたように、様々なプロセスを実装するために使用することができる。加えて、データベースは、既知の方法で、そのようなデータベース中のデータにアクセスする装置から局所的または遠隔的に記憶されてもよい。
【００５４】
様々な実施例は、１つ以上の装置と（例えば、通信網による）通信中のコンピュータを含むネットワーク環境で働くように構成することができる。コンピュータは、任意の有線または無線媒体（例えば、インターネット、ＬＡＮ、ＷＡＮ、イーサネット（登録商標）、トークン・リング、電話線、ケーブル線、ラジオ・チャネル、光通信線、商用オンライン・サービス・プロバイダおよび電子掲示板、衛星通信リンク、上記のものの任意の組合せ）を通じて、直接または間接的に装置と通信することができる。各装置は、Ｉｎｔｅｌ（登録商標）Ｐｅｎｔｉｕｍ（登録商標）またはＣｅｎｔｒｉｎｏ（登録商標）プロセッサに基づいたそれのように、コンピュータと通信するのに適している、コンピュータまたは他の計算装置を含んでもよい。任意の数およびタイプの装置は、コンピュータと通信中であることもできる。
【００５５】
１つの実施例では、サーバコンピュータまたは集中権限は、必要でないかもしれないし、望ましくないかもしれない。例えば、本発明は、実施例中で、集中権限のない１つ以上の装置上で実行されてもよい。そのような実施例では、サーバコンピュータによって実行されるように本出願に記載されたどのような機能、またはサーバコンピュータに記憶されるように記載されたデータは、その代りに、１つ以上のそのような装置によって実行されるか、または装置上に記憶されてもよい。
【００５６】
ＶＩ. 継続出願
【００５７】
現在の開示は、当業者に、いくつかの実施例および／または発明の実行可能な記載を提供する。これらの実施例および／または発明のうちのいくつかは、この特許出願で特許請求されないかもしれないが、しかしながら本特許出願の優先権の利益を主張する１つ以上の継続出願中で特許請求することができる。出願人は、本出願中で開示され実施可能になったが、特許請求されなかった主題のための特許を追求するために追加の出願を出願する意図がある。
【００５８】
ＶＩＩ. 米国特許法（３５Ｕ．Ｓ．Ｃ．）第１１２条第６項
【００５９】
請求項において、句「のための手段」または句「のためのステップ」を含む請求項の限定は、米国特許法第１２条第６項がその限定に適用されることを意味する。
【００６０】
請求項において、句「のための手段」または句「のためのステップ」を含んでいない請求項の限定は、その限定が機能を実行するための構造、材料、または作用を記述しない機能を記述するかどうかにかかわらず、米国特許法第１２条第６項がその限定に適用されないことを意味する。例えば、請求項において、請求項または他の請求項の１つ以上のステップを参照する際の、句「ステップの」または句「ステップ群の」の単なる使用は、米国特許法第１２条第６項がそのステップに適用されることを意味しない。
【００６１】
特定の機能を実行するための手段またはステップに関し、米国特許法第１１２条第６項に従って、明細書に記載されている対応する構造、材料または作用、およびその均等物は、特定の機能とともに追加の機能も実行することができる。
【００６２】
コンピュータ、プロセッサ、計算装置および同様のプロダクトは、広範多様な機能を実行することができる構造である。そのようなプロダクトは、そのプロダクトのメモリ装置、またはそのプロダクトがアクセスするメモリ装置に記憶されたプログラムのような、１つ以上のプログラムの実行により、特定の機能を実行するように動作可能になることができる。特に明示的な定めのない限り、そのようなプログラムは、本出願に開示されるかもしれないいずれかの特定のアルゴリズムのような、いずれかの特定のアルゴリズムに基づく必要はない。特定の機能が異なるアルゴリズムで実装できることは当業者に周知であり、多くの異なるアルゴリズムのいずれでも、特定の機能を実行するための単なる設計上の選択になるだろう。
【００６３】
それゆえ、特定の機能を実行するための手段またはステップに関し、米国特許法第１１２条第６項に従って、特定の機能に対応する構造は、特定の機能を実行するためにプログラムされた任意のプロダクトも含む。そのような構造は、そのようなプロダクトが、（ｉ）機能を実行するために開示されたアルゴリズム、（ｉｉ）開示されたアルゴリズムに似ているアルゴリズム、または（ｉｉｉ）機能を実行するための異なるアルゴリズムを備えてプログラムされるかどうかにかかわらず、機能を実行するためにプログラムされたプロダクトを含む。
【００６４】
ＶＩＩＩ. 権利放棄
【００６５】
特定の実施例への多数の参照は、追加の異なる実施例の権利の放棄または否認を示さないし、同様に、特定の特徴を完全に含む実施例の記載への参照は、その特徴を含んでいない実施例の権利の放棄または否認を示さない。本出願中の明瞭な権利の放棄または否認は、句「含んでいない」または句「実行できない」によって前書きされなければならない。
【００６６】
ＩＸ. 概説
【００６７】
実施例では、システム（例えば、ネットワークベースの計算機装置）は、特定の地理的な地域（例えば、町）に影響する、気象関連イベント（例えば、ハリケーン）の場合には「賭ける」能力を含んでいる。そのような賭けからの払戻金（例えば、特定の払戻金の決定）は、パリ・ミュテュエル方式システム、固定の払戻金システム、または他の方法論によって作ることができる。「賭ける」および「賭けごとをする」のような用語の使用は、便宜だけのためであり、そのような実施例であるが、賭博または抽選懸賞の任意の形式の任意の関与であるに違いないことを必ずしも暗示しない。例えば、本出願に示された方法およびステップは、先物、オプション、または他の金融商品を、処理し、受け取り、または取り込むシステムのような金融サービスシステムを使用して行われてもよい。そのような実施例では、先物、オプション、または他の金融派生商品は、気象のようなイベントに関係する、（「値付けされた」、あるいはその反対にその価値形態をとる）データである証券に基づくことができる。そのような証券は、例えば、気象等に関する気象記録公式発表または声明から、その値をとってもよい。
【００６８】
パリ・ミュテュエル方式は、典型的に、ほとんどまたは全ての賭け金（または、恐らく特定のタイプの賭け金）から賭けられた総額が、「プール」（または、特定のタイプに基づいた複数のプールのプール）に割り当てられる賭博システムであると考えられる。典型的に、ある額がプール（例えば、税、取引手数料、および／または「施設」代）から差し引かれ、そのような控除の後の残りの金額が賭博システムの「勝者」に払い出されるように利用可能である。勝者のための支払額は、全ての賭けられた賭け金のプールを共有することによって計算される。例えば、プールの一部（例えば、ある控除額の後に残る部分）は、かれらがそれぞれ賭けた金額に比例する額を得るようにして、全ての勝者の間で分配されてもよい。
【００６９】
パリ・ミュテュエル方式の多くの変形例および特徴は、周知であり、このため本出願では明示的に記載されない。
【００７０】
１つの実施例によれば、１つ以上の賭けは、（例えば、パリ・ミュテュエル方式システムで、その他の賭博システムで、金融商品に基づいたシステムで）行われてもよい。ここでは、賭けは、（明示的および／または暗黙的に）、１つ以上の以下のものを定義する：
（１）賭け金（例えば、全損の危険にさらされる金額）、
（２）１つ以上の地域（例えば、町、郡、州、隣接するか非隣接地域から成る他の地域指定）の指定、
（３）ハリケーン、嵐、低気圧、地震、津波、隕石落下、本出願に記載される他のイベント、または本出願に記載されるあらゆるイベントに基づいた任意のイベントを含む、１つ以上の気象関連イベント、自然災害または他のイベントの指定；
（４）期間（例えば、１か月、ハリケーン・シーズン、その他のシーズン、１年、無制限に延びる無期限、将来へ無限に延びる無期限）
【００７１】
１つの実施例では、そのような賭けのための払戻金は、（１）指定イベント（群）が指定地域をある期間（例えば、今シーズン、今年、来年、隣接または非隣接期間で作られた任意の期間）に「ヒット」したかどうか、（２）指定イベント（群）が他の地域をヒットする前の期間に指定地域をヒットしたかどうか、および／または、（３）指定イベント（群）がどの程度まで期間に指定地域をヒットしたかどうかに基づく。１つの実施例では、いくらの金額が支払われるべきかの決定は、払戻金が複数のプールのどれから割り当てられることになっているかにさらに基づくことができる。例えば、第１のプールが期間（もしあれば）に生じる第１の指定イベントのための支払いのために使用され、第２のプールが期間（もしあれば）に第２の指定イベントのための支払いのために使用される、２つのプールが存在することができる。
【００７２】
１つの実施例では、賭けは売られてもよいし、そうでなければ移転されてもよい（例えば、第一者によって為された後に第三者に所有権／受益権を譲渡するような販売で売られた）。例えば、賭けは、オークションまたはその他の販売方法によって第三者に売られてもよく、賭けが勝利の賭けならば、第三者は払戻金を受け取ることができる。
【００７３】
ＡＰＩ（アプリケーション・プログラム・インターフェイス）は、本出願に記載された機能性のうちのどれもまたはデータへの（例えば、他者によって開発されたカスタム・ソフトウェアによる）アクセスを許可するために提供することができる。
【００７４】
Ｘ. いくつかの気象関連イベントおよび他の自然イベント
【００７５】
気象学では、熱帯低気圧は、湿った空気が上昇し凝縮する時に放たれた熱によって燃料を供給された暴風圏である。サイクロンは、それらに燃料を供給する熱機構により、ノーイースター、ヨーロッパ暴風および極低気圧のような他の大竜巻の暴風と区別される。それは、それらを「温暖」暴風圏にする。熱帯サイクロンは、それらの位置および強さに応じて、ハリケーン、台風、熱帯暴風雨、および熱帯低気圧のような、様々な用語で知られている。
【００７６】
熱帯サイクロンは、非常に強い風、竜巻、集中豪雨、および高潮と呼ばれる沿岸地区を圧倒する大きな波を起こすことができる。大雨および高潮は、巨大な洪水を起こす。人間集団に対する熱帯サイクロンの影響は、負傷、死亡および物的損害を含む破滅的なものになりえる。
【００７７】
熱帯サイクロンは、強度に基づいて、３つのメイン・グループに分類される：熱帯低気圧、熱帯暴風雨、および、第３のグループのより強い嵐（名前は、地域に依存する）である。
【００７８】
熱帯低気圧は、定義された表面循環、および１７ｍ／ｓ（３３ ｋｔ、３８ｍｐｈまたは６２ｋｍ／ｈ）未満の最大風速を備えた雲および雷雨の組織されたシステムである。それは、「目」を持たず、典型的には、組織またはより強力な嵐の渦巻き形を持たない。
【００７９】
熱帯暴風雨は、定義された表面循環、および１７〜３２ｍ／ｓ（３４.６３ ｋｔ、３９.７３ｍｐｈまたは６２.１１７ｋｍ／ｈ）の間の最大風速を備えた強い雷雨の組織されたシステムである。この点では、目は常には存在しないが、特殊な大竜巻の形は発達し始める。政府気象サービスは、この強度（従って、嵐という名の用語）に達するシステムに名前を割り当てる。
【００８０】
ハリケーンまたは台風（しばしば単に低気圧または嵐に対立するものとして、熱帯サイクロンと呼ばれた）は、３３ｍ／ｓ（６４ ｋｔ、７４ｍｐｈまたは１１８ｋｍ／ｈ）を超える持続する風を備えたシステムである。熱帯サイクロンは、目（循環の中心で比較的に静かな（および、最低の気圧）の地域）が発達する傾向がある。目は、衛星からのイメージでは、小さく、循環的で、雲がないスポットとしてしばしば見える。目を囲むのは、アイウォールであり、その中で最も強い雷雨および風が嵐の中心の周りで循環する、１０.５０ｍｉ（１６.８０ｋｍ）幅の地域である。
【００８１】
サイクロンの中心の周りの雲の循環は、システムに明確な渦巻き形を与える。帯または腕は、雲がサイクロンの方へ引かれるに従って、遠い距離まで伸びることができる。サイクロンの循環の方向は、半球に依存する；それは、北半球では反時計回りであり、南半球では時計回りである。最も強い熱帯サイクロン中の最大風速は、８５ｍ／ｓ（１６５ ｋｔ、１９０ｍｐｈ、３０５ｋｍ／ｈ）以上で測定された。
【００８２】
アイウォール置換サイクルが、強い熱帯サイクロンで自然に生じる。サイクロンがピーク強度に達すると、それは通常、しかし常にではないが、約５〜１５マイルのまさに小規模に収縮する最大風速のアイウォールおよび半径を持つ。この点では、外部の降雨帯のうちのいくつかは、ゆっくり内部へ移動し、その必要とされる湿気および勢いを内側のアイウォールから奪う雷雨の外帯に組織される。この過程の間に、熱帯サイクロンは、弱まっていく（つまり、最大風速はしばらくして小さくなり、中心気圧は上がる）。結局、外側のアイウォールは、内部のものに完全に置き換わり、嵐は、それが以前にあったのと同じ強度、いくつかの場合にはいくぶん強い強度になりえる。サイクロンがアイウォール置換サイクルの終わりでより弱くなっても、そうすることを他の条件が可能にすれば、それがたった今１つ経験しており、直ぐに他のものを経験しないだろうという事実は、それがさらに強くなることを可能にするだろう。
【００８３】
公式には、「上陸」は、嵐の中心（その端ではなく、目の中心）が陸に着いた時である。嵐の大きさに応じて、暴風雨の状況は、上陸の前に海岸および内陸でよく経験されるだろう。実際、内陸に移動する嵐については、上陸地域は、典型的には、実際の上陸の前におよそ半分の嵐を経験する。
【００８４】
サイクロンの他の多くの形式は、温帯および亜熱帯のサイクロンのような自然界に生ずることができる。
【００８５】
地震は、地震波を放射する蓄積エネルギーの突然の放出から結果し、力が供給される現象である。地球表面では、地震は、揺れまたは地面の置換、および時々津波により、出現する。それらは、生命の損失および財産の破壊に結びつくかもしれない。
【００８６】
地震学者は、地球の内部の破裂を直接観察することができないので、かれらは、地震波を分析し、かつ正確に地震の重大さを評価するために、測地計測および数値実験に依存する。地震の重大さは、マグニチュードおよび強度の点から測定することができる。このため、地震学者は、２つの基本的に異なるが、等しく重要なタイプの基準を使用する。地震の本来の力またはエネルギーは、マグニチュード基準で測定される一方、地球表面上のいずれか所定の点で生じた震動の強度は、震度基準で測定される。
【００８７】
専門でないメディアは、リヒタースケールで報告されているような地震のマグニチュードをしばしば参照しているかもしれないが、最近報告されているマグニチュードは、実際にはモーメントマグニチュード基準である。古いリヒタースケールは、より大きな地震に適していない。
【００８８】
地震の重大さの分析は、科学者が、最も大きな危険の地域を識別し、かつ人々およびそのような地域にある社会基盤の安全性を保証することを支援して、将来の地震の位置および可能性を評価することを可能にする。特定の地点内の様々なレベルの地震の結果の範囲を示すために、地震学者は、震度分布図と呼ばれる特定の地図を編集する。震度分布図は、震度、土地表面液化、震幅、または他の地震効果の点から、等しい値の地域を鳥瞰するために等高線を使用する。典型的には、これらの地図は、歴史的文書に記録されたデータを、地震の近くの各郵便局、および地震から増加する距離を持った各郵便局のよりまばらなサンプルへ送られた郵便のアンケートに対する回答と組み合わせることにより作成される。地震災害地図を準備するこの方法は、完成するために数か月かかる場合がある。古い方法とは対照的に、情報収集のより新しい方法は、初期ハザードマップをほとんど即座に生成するためにインターネットを利用する。データは、数か月から分まで特定の地震のために地図を準備し配布する過程を減らして、実際に地震を経験した人々によってインターネット上で答えられたアンケートを通じて受け取られる。
【００８９】
津波は、海洋のような水の集まりが大規模に急速に置き換えられるときの、一連の波である。地震、水上または水面下の大量移動、火山噴火および他の水面下の爆発、ならびに大規模な隕石衝突には、全て津波を発生する可能性がある。津波の影響は、目立たないことから壊滅的なことまでに及ぶことができる。
【００９０】
津波のほとんどの損害は、海の高さが速く上昇し続け、洪水が沿岸地区に強力に殺到するにつれて、初期波面の背後の水の巨大な質量によって引き起こされる。水の重さは、その通過経路中の物体を粉々に砕くのに十分であり、しばしば彼らの社会基盤のための建物を減らし、岩盤の露出した土地を磨き上げる。船および巨石のような大規模な物体は、津波がおさまる前に、数マイルも内陸に運ばれることがある。
【００９１】
津波は、巨大なエネルギーを含んでおり、小さな全エネルギー損失で、高速に広がり、大きな大洋間距離を移動することができる。津波は、その震源の数千マイルに損害を引き起こす場合がある。従って、発生イベントによって生成された地震波が到着してからかなり後に到来し、その発生と海岸へのその衝撃との間には数時間があってもよい。エネルギーの総計または全体損失は小さいが、総計エネルギーは、波が移動するとともに、ますます大規模に周辺に広げられる。
【００９２】
ＸＩ. プール
【００９３】
１つの実施例では、（例えば、自然イベントに基づく値を持つ金融商品の購入によって）賭けられた金額は、資金または他の資源の「プール」に加えられるかそうでなければ割り当てられる。プールは、翻って、勝者への払戻金を作るのに使用される。
【００９４】
賭け金からのプールの一部（例えば、プール（固定額）の１０％）は、プールから控除され、影響を受けた地域へ提供されてもよい（例えば、１つ以上の地方自治体、州政府機関、影響を受けた地域の実体に提供される）。さらにまたは代わりに、プールの一部（例えば、プール（固定額）の２％）は、賭博システムまたは賭博システムのいずれかの態様を運営する際にも経費に割り当てられてもよい。さらにまたは代わりに、プールの一部は、実体により利益割合または使用料に割り当てられてもよい。前述のうちのいずれも、または他のタイプの控除または割当てでも、控除または割当ての方法は、異なる状況（例えば、期間の終わりのような異なる時のプール中の異なる金額）においては異なってもよい。例えば、プール中の金額がより高い場合（例えば、プールが１，０００，０００ドルを超過する場合は１０％、他の場合は５％）、プールから控除された部分は、より高くてもよい。１つの実施例では、プール中の金額がより高い場合（例えば、プールが１，０００，０００ドルを超過する場合は５％、他の場合は１０％）、プールから控除された部分は、より低いかもしれない。
【００９５】
プールは、貢献と一致するような金額および／または先の期間に支払われない相当額、または他の賭博イベント（例えば、ハリケーンが昨シーズンはヒットしなかった、昨シーズンは勝者がいなかった）からによって増加されてもよい。
【００９６】
１つの実施例では、控除の後のプール中で残りの金額は、「勝利の賭け」（例えば、指定イベントによって最初にヒットされた地域を指定した賭け）に支払われる。
【００９７】
各プールがそれぞれ異なる地域に対応する複数のプールがあってもよい。例えば、複数の大きな地理的な各地域（例えば、南東部、中西部）用の異なるプールがあってもよい。１つの実施例では、プールに対応する地理的な地域のそれぞれは、賭けで指定されてもよい地域の実質的な数（例えば、１００の町）を含んでいる。そのような実施例は、異なるイベント（例えば、ハリケーン、嵐）のためのイベント、および／または、同じイベントの異なる発生（例えば、複数のハリケーン）のためのプールがある実施例と結合して実行されてもよい。
【００９８】
プールは、払戻金を作るためには全く使用されなくてもよい。例えば、１つの実施例では、１シーズンまたは他の期間の間で異なるハリケーン（例えば、ヒットすべき第１のハリケーンおよびヒットすべき他のハリケーン）のための異なる払戻金のために、２つ以上のプールがそれぞれあってもよい。そのようなプールよりヒットした、より少数のハリケーンがある場合、それらの（例えば、未使用）プール中の金額は、他の目的（例えば、後のプールおよび／またはイベントに使用される、前のイベントの勝者への払い戻しに使用される）のために使用されてもよい。
【００９９】
ＸＩＩ. 「勝者」の決定
【０１００】
個々の勝利の賭け手（本出願で使用される「賭け手」は、賭けをする実体を示すばかりでなく、賭けをすることを望む実体、および賭けが行われることを可能にするシステムを使用する実体を示すために使用されている）への払戻金の金額は、パリ・ミュテュエル方式システム（例えば、利用可能なプールの比例配分したシェア）、固定額（例えば、それぞれの賭けられた金額の２倍の金額）、または前述したものまたは他の払戻金の決定の任意の組合せに基づくことができる。
【０１０１】
１つの実施例では、勝利する賭け手への払戻金は、イベント（例えば、ハリケーン、地震の強さ）に基づく。例えば、指定地域をカテゴリ３の嵐がヒットすることからの払戻金は、その指定地域をカテゴリ２の嵐がヒットすることからの払戻金よりも大きくなるだろう。払戻金がより少なくなくなるような１つの実施例では、プールのより小さな部分は、賭けの払い戻し（例えば、カテゴリ３であるまたはより劣ったハリケーン用の利用可能なプールの８０％、およびカテゴリ３より大きいハリケーン用の利用可能なプールの全て）に使用されてもよい。１つの実施例では、より劣った強さのイベントのために作られた払戻金はない。
【０１０２】
払戻金は、イベントの強さに加えて他の要因に基づくことができる。例えば、払戻金は、イベントによって行われた損害に基づくことができる。
【０１０３】
１つの実施例では、特定のシーズンにハリケーンが特定の町を（そのハリケーンが任意の他の町をヒットする前に）最初にヒットしたことが決定された場合、その後、（例えば、資金の第１のプールからの）払戻金は、特にその町を指定した賭けをした賭け手に与えることができる。（例えば、同じ期間中の）多数のイベントは、様々なやり方で処理されてもよい。例えば、上記の実施例でのような同じシーズンの間に、（第２のハリケーンが任意の他の町をヒットする前に、）他のハリケーンがある町を最初にヒットした場合、（例えば、資金の他のプールからの）払戻金は、そのある町を指定したそれらの賭けに作ることができる。
【０１０４】
指定イベントが指定地域を「ヒット」（または、指定地域を最初にヒット）したかどうか、または、どの程度までしたかの決定は、ある期間に客観的および／または主観的になすことができる。例えば、指定イベント（例えば、ハリケーン、ハリケーンの目のような部分）は、米国気象局のような団体の公式声明（他のステートメントまたはデータ）で示されてもよい。例えば、米国気象局は、ハリケーンの目が上陸した地域を指定し、この地域をそのハリケーンによって最初にヒットされた地域と考えることができる。その後、米国気象局は、（１）コンピュータまたは他の計算装置によって直接受信され、および／または、（２）そのような情報は、噂によれば、そのような公式声明に基づいたステートメントの価値を確認すべき参照として使用することができる。
【０１０５】
例えば、１シーズンの初めに、賭けは、複数の参加者によって行われてもよい。各賭けは、ハリケーンがヒットするだろう地域（例えば、郡）を指定する。決定は、どの地域がヒットされるかに関して後でなされる（例えば、それは、他の郡がヒットされる前に、第１のハリケーンの目がヒットする第１の郡であるかどうか）。決定は、ハリケーンが地域をヒットした後、すぐに（例えば、後日）、および／または、他の時に（例えば、そのシーズンの終わりに、このとき公式のデータが利用可能である）になされてもよい。１つの実施例では、同じイベントのためになされた複数の決定（例えば、「仮に」なされた決定、「公式」指定と見なされ続いてなされた決定）がある。そのような実施例では、払い戻しは、（１）各決定に従って部分的に（例えば、仮の指定のための１０％、および公式の指定のための９０％）、（２）各決定のために完全になされてもよい。そして、返金は、先の決定が誤っていると見なした後の決定のために必要である。
【０１０６】
１つの実施例では、１つ以上の限定が、賭けをすることを望む実体に課されてもよい。例えば、特定の地域を指定する賭け（または、賭けの他のパラメータ）をする能力は、賭け手の居住所、または賭け手とその地域との他の関係に基づいてもよい。例えば、そのような実施例では、その地域に居住する、その地域の財産を所有する、その地域の納税者である賭け手が、地域において支払うべき所定のまたは全ての税金（例えば、財産税、所得税）を支払ったならば、賭け手が地域に賭けることができるだけかもしれない。
【０１０７】
そのような限定は、例えば、（１）そのような居住条件が実証されなければ、賭けができないかもしれない、（２）そのような居住条件が実証されなければ、払戻金が支払われないかもしれない、および／または、（３）そのような居住条件が実証されなければ、賭けからの払戻金は勝者によって取消しされてもよいし返却されてもよいかもしれないことを意味している。
【０１０８】
１つの実施例では、賭け手は、賭け手がその地域に関係を持っていれば、地域に賭けるために増加された利益を受け取る。例えば、賭け手は、賭け手がその地域に居住する、その地域の財産を所有する、その地域の納税者である、または、地域に支払うべき税を納付した場合には、増加された払戻金を受け取ってもよい。
【０１０９】
１つの実施例では、賭け手は、地域の彼の住宅、地域の財産の所有権、地域の税の支払いを指定することができ、それによって、記憶および／または処理されるべきそのような情報が許容されることができる。
【０１１０】
１つの実施例では、地域の居住者（または、地域に他の関係を持った賭け手）は、彼の居住地域（または、他の関係）を示す、または他の地域データを示すデータを暗号化した識別子を登録し受け取ることができる。その後、その居住者による賭けは、購入者の居住アドレスを示すか、またはその地域への賭け手の他の関係を示すことができる。１つの実施例では、払戻金は、先の方法のうちのどれか、または他の方法で示されるアドレスに郵送することができる。
【０１１１】
ＸＩＩＩ. 早く購入すること
【０１１２】
賭けが行われる時が、その賭けのための払戻金に影響する場合がある。例えば、早く賭けをすることは、遅れて行われた等価な賭けと比較して、割り増され払戻金を提供するかもしれない。さらにまたは代わりに、早く賭けをするチケット購入者に他の利益を提供することができる。
【０１１３】
１つの利益のタイプは、支払高から賭け手がより低い手数料、料金、税等を控除することができるということである。従って、１つの実施例によれば、賭け手によって払われた多額の金額は、彼の目的に（例えば、もっと賭けごとをするために、もっと購入するために）実際に使用される。そして、これにより、賭け手により高い潜在的な払戻金がある場合がある（払戻金の金額が賭け金に利用可能になった金額に基づく実施例では）。
【０１１４】
１つの実施例では、早い時期に行われた賭けは、より大きな金額の賭け（例えば、勝利のプールのより大きな割合を得る権利を与えられた）と等価であると考えることができる（例えば、払戻金の目的のために、そこでの目的のために）。
【０１１５】
１つの実施例では、賭け金は、特定のイベントに賭けることができる。例えば、賭け金は、現象（例えば、低気圧、他の現象）が他の現象（例えば、ハリケーン）に変わるかどうかに賭けることができる。この変化（例えば、ハリケーンになる低気圧）、および／または、（例えば、ハリケーンになる低気圧と、そのハリケーンが陸地をヒットすることとの）組合せのための払戻金がある場合がある。
【０１１６】
ＸＩＶ. 控除
【０１１７】
１つの実施例では、賭けられた金額またはその部分は、支払うべき税（例えば、連邦税、州税）を計算する目的のために、控除可能であると考えることができる。従って、グラフィカル・ユーザ・インターフェースまたは他のインターフェースは、賭け手がそのような情報を要求することができ、そのような情報を供給されることができるように提供されるだろう。
【０１１８】
例えば、賭け手（または、他の実体）は、賭けが保険または他の控除可能な消費として使用されていることを指定することができる。
【０１１９】
年の終わりに（または、他の時、顧客によるリクエストのような）、証券は、賭け手のために生成することができる（例えば、Ｗｅｂインターフェース経由で、または電子メール経由で、賭け手に印刷され郵送される）。そのような証券は、例えば、為された賭け、各賭けの詳細、消費されたもの、支払済みのもの、どこの地域が指定されたか、いつ賭けが行われたか、または他の情報を示すことができる。
【０１２０】
ＸＶ. 他の賭け
【０１２１】
１つの実施例では、賭けは、複数の異なる地域を指定してもよい。例えば、賭けは、中心および半径を指定することができ、それによって、円形領域、および円形領域によって包含された地域を示す。円形以外の他の形が指定されてもよい。
【０１２２】
１つの実施例では、賭けは、予測、見解または他者（例えば、アナリスト、気象学者）の予想（例えば、ある地域または地域群がハリケーンによってヒットされるだろうこと）を追跡するか、対応することができる。そのような実施例では、インターフェースは、（例えば、他者の予測を表示するインターフェースの一部とともに）どこが予測に対応する賭けを作ることを許可するか（例えば、ボタンまたは他のユーザ・アクションのシングル・クリックによって）を提供することができる。
【０１２３】
１つの実施例では、賭けは、本出願に記載された任意のイベントまたは賭けの反対を指定することができる。例えば、（例えば、ハリケーンによって、シーズン中の１組のイベントのうちのいずれによっても）地域または地域の集合がヒットされない場合にも、払戻金を生じる賭けは行われてよい。
【０１２４】
１つの実施例では、賭けは、１つ以上の地域の指定に加えて、または指定に代えて、方向を指定してもよい。賭けは、例えば、ハリケーンがその方向に動くかどうかに基づいた払戻金を生じてもよい。１つの実施例では、方向は、方向の範囲（例えば、北および北東の間にある、または含んでいる任意の方向）の点から定義されてもよい。
【０１２５】
ＸＶＩ. 提案
【０１２６】
１つの実施例では、賭け手は、受け入れられるならば、特定の賭けをする提案を受け取ってもよい。例えば、グラフィカル・ユーザ・インターフェース（または、電子メール通信またはその他の通信媒体）は、賭けをした賭け手（例えば、最近賭けをした賭け手）に提案を提示することができる。賭け手に提供される提案（例えば、提案された賭けの特徴）のある詳細は、最近であるかどうかにかかわらず、賭け手によって行われた賭けに基づいてもよい。例えば、賭け手が第１の地域を指定する賭けをすれば、提案は、その賭け手に提供することができる。そこでは、提案は、第１の地域に基づいて選択される（例えば、システムによって）第２の地域（例えば、第２の地域は、第１の地域に隣接している地域である）を定義する。
【０１２７】
提案が受け入れられるならば、および提案が提案された賭けの特徴を定義しているならば、それらの特徴がある賭けは、賭け手のために自動的に行うことができる。提案が賭け手および／またはそのような提案の特徴に提供されるかどうかは、地域の他の賭け手（例えば、地域に対応する「十分な」賭け金があるかどうか）および／または他の要因に基づくことができる。
【０１２８】
ＸＶＩＩ. 推薦および他のデータ
【０１２９】
１つの実施例では、インターフェース（例えば、Ｗｅｂまたはカスタム・ソフトウェアによって提供されるグラフィカル・ユーザ・インターフェース）は、賭け手または他者に興味のある各種データを表示することができる。本出願に記載されたどのような情報またはデータも、任意の情報または本出願に記載されたデータから推論可能などのようなものとも同様に、出力されてもよい（例えば、表示される）。例えば、為された賭けに関する情報は、１つ以上の地域における総計の賭け金（例えば、賭けられた総額）について記述するフォーマットで表示されてもよい。例えば、グラフィカル・ユーザ・インターフェースは、地域に賭けられた賭け、地域に賭けられた金額等に関するテキスト形式またはグラフ形式のデータ（例えば、色）に対応する地理的な地図（例えば、アメリカ合衆国の一部の地図）を表示することができる。
【０１３０】
１つの実施例では、グラフィカル・ユーザ・インターフェースは、他者の賭けに関するデータを表示することができる。ここでは、そのような賭けは、賭け手の賭けに「似ている」と見なされる。例えば、賭け手が地域Ａを指定する賭けをすれば、グラフィカル・ユーザ・インターフェースは、賭け手の組により指定された地域に関する情報を表示することができる。ここでは、賭け手の組は、地域Ａを指定する賭けをさらに行うことができ、賭け手の組は、他の地域を指定する他の賭けをさらに行うことができる。１つの実施例では、グラフィカル・ユーザ・インターフェースは、同様の賭け手によって指定されない（または、頻繁には指定されていなかった）地域の組を表示することができる。
【０１３１】
１つの実施例では、グラフィカル・ユーザ・インターフェースは、賭け手によって選択された地域に対応する他の地域（例えば、賭け手によって為された、または為すことが希望された賭けで指定された地域、または他の方法で賭け手によって選択されたか示された地域）を表示することができる。例えば、グラフィカル・ユーザ・インターフェースは、他者の見解または推薦を示してもよい。１つの実施例では、１人以上のユーザまたは他の実体は、選択された地域に基づいて、例えば、彼らの見解の中で追加の賭けで指定されるべき他の地域を提供してもよい。
【０１３２】
１つの実施例では、グラフィカル・ユーザ・インターフェースは、賭けが表示または出力されたデータに基づいて為されることを可能にする。例えば、地図またはグラフィックが様々な地域を示す場合、その後に地域をクリック・オンし、さもなければ示すことは、賭けに、為されるべきまたは容易にされるべき地域を指定させる（例えば、ステップがそのような賭けをするためにとられるが、１つ以上の追加のステップがその賭けをするために要求される）。
【０１３３】
１つの実施例では、ゴールは、出力することができる（例えば、「ゴール・メータ」は、グラフィカル・ユーザ・インターフェースによって表示することができる）。出力されるゴールは、ハリケーンに実際にヒットされた場合に地域が調達する必要がある資金の概算額のような、どのような情報も示すことができる（例えば、グラフィカルまたは数値表示の表示装置によって）。出力されるゴールは、さらにそのゴールへの前進を示すことができる（例えば、賭け金によってその地域のために蓄積された金額、受入金額、プールの割り当てられた部分によって地域に支払うべきかまたは割り当てられた金額）。出力されるゴールは、賭け手によって選択されている地域（例えば、賭け手の賭けによって指定された地域）のゴールを示すことができる。